(57)【特許請求の範囲】
【請求項１】
インターネットを通してサービスを提供する管理サーバと、管理サーバにブラウザを通して接続されるパーソナルコンピュータと、ダウンロードされ動作する専用ソフトウェアにより管理サーバに接続される携帯端末と、管理サーバへのメール送受信を行う携帯電話を使用した遠隔品質管理システムであって、
前記管理サーバは、
組織毎の物件を管理・保存する手段と、
利用者を組織単位に管理して組織毎の利用者として参照する作業物件を制御する手段と、
利用者として「メールアドレスのみの利用者」と「アカウントとパスワードを発行する利用者」を管理・保存する手段と、
利用者毎に「写真のみを登録する利用者」と「チェックシートを起票する利用者」と「チェックシートを確認する利用者」と「チェックシートを承認する利用者」とする権限を保存する手段と、
チェックシートの確認項目として測定値や可否判定結果などを組み合わせて定義・保存する手段と、
前記「写真のみを登録する利用者」が前記携帯端末又は前記携帯電話を使って管理サーバに登録した作業根拠写真を当該利用者の上位の利用者（以下「第１の上位利用者」という。）が起票するチェックシート（以下「自主チェックシート」という。）のマスタデータに組み込む手段と、
前記第１の上位利用者がログインしたパーソナルコンピュータ又は携帯端末において前記作業根拠写真が組み込まれた自主チェックシートのマスタデータを表示させる手段と、
前記第１の上位利用者が前記マスタデータを使って起票した自主チェックシートが管理サーバにアップロードされると、前記第１の上位利用者の更に上位の利用者（以下「第２の上位利用者」という。）がログインするパーソナルコンピュータ又は携帯端末において当該自主チェックシートの承認又は確認を求める表示を行わせる手段と、
前記第２の上位利用者により、前記自主チェックシートに対する上位のチェックシートが起票され管理サーバにアップロードされると、前記第２の上位利用者の更に上位の利用者（以下「第３の上位利用者」という。）がログインするパーソナルコンピュータ又は携帯端末において当該チェックシートの承認又は確認を求める表示を行わせる手段と、
を備えていることを特徴とする遠隔品質管理システム。
【請求項２】
前記管理サーバにブラウザを通して接続されるパーソナルコンピュータにおいて、画像登録が必要なチェックシートの確認項目に対して携帯電話のメール添付機能を利用して写真撮影の作業を指示する作業指示書であって、作業物件毎の送信先アドレスと、チェックシートの種類及び確認項目を示すメールタイトルと、操作方法を示す本文とをメール起動用のマトリックス型二次元コードの中に編集し一覧化したものを作業物件毎のチェックシート毎に出力する手段を備え、
前記「写真のみを登録する利用者」が前記携帯端末又は前記携帯電話を使って管理サーバに対して行う作業根拠写真の登録は、前記メール起動用のマトリックス型二次元コードを読み込むことにより起動するメールに自動設定される送信先アドレスに対して、作業根拠写真を添付したメールが送信されることによりなされる、
ことを特徴とする請求項１に記載の遠隔品質管理システム。
【請求項３】
画像登録が必要なチェックシートの確認項目に対して携帯電話のメール添付機能を利用して写真撮影の作業を指示する作業指示書にチェックシート毎の画像登録状況を確認メールとして受信する為のメール送信用のマトリックス型二次元コードを印刷する手段と、
前記確認メールを受信した携帯端末又は携帯電話において、前記確認メール内の未登録の項目を選択することにより、作業物件毎の送信先アドレスと、チェックシートの種類及び確認項目を示すメールタイトルと、操作方法を示す本文とを表示する画像登録用メールを起動させる手段と、
を備え、
前記「写真のみを登録する利用者」が前記携帯端末又は前記携帯電話を使って管理サーバに対して行う作業根拠写真の登録は、前記確認メール内の未登録の項目を選択することにより起動するメールに自動設定される送信先アドレスに対して、作業根拠写真を添付したメールが送信されることによりなされる、
ことを特徴とする請求項１に記載の遠隔品質管理システム。
【請求項４】
前記管理サーバは、
前記第２の上位利用者がログインしたパーソナルコンピュータ又は携帯端末において、自主チェックシートの承認を求める表示を行わせた後、自主チェックシートの承認のための操作がなされた場合に、当該自主チェックシートの起票者がログインしたパーソナルコンピュータ又は携帯端末において前記第２の上位利用者による承認行為が行われた旨を表示させる手段
を備えていることを特徴とする請求項１〜３の何れか１項に記載の遠隔品質管理システム。
【請求項５】
前記管理サーバは、
前記第２の上位利用者がログインしたパーソナルコンピュータ又は携帯端末において自主チェックシートのチェック項目の不備を指摘するための操作がなされた場合に、当該自主チェックシートの作成に携わった関係者全員の端末に、チェック項目の不備が指摘された旨を内容とするメールを送信する手段
を備えていることを特徴とする請求項４に記載の遠隔品質管理システム。
【請求項６】
前記管理サーバは、
前記第２の上位利用者がログインしたパーソナルコンピュータ又は携帯端末において前記チェック項目の不備の指摘に対する確認依頼が来ていることを表示により知らせる手段と、
その確認依頼に係る内容を当該パーソナルコンピュータ又は当該携帯端末において一覧形式又は、指摘前・指摘後を参照できる詳細形式にて表示させる手段と、
を備えていることを特徴とする請求項５に記載の遠隔品質管理システム。
【請求項７】
前記管理サーバは、
前記第２の上位利用者がログインしたパーソナルコンピュータ又は携帯端末において前記確認依頼に係る内容の確認終了の旨の操作がなされた場合に、前記関係者全員の端末に、前記確認依頼に係る内容の確認完了の旨を内容とするメールを送信する手段
を備えていることを特徴とする請求項６に記載の遠隔品質管理システム。
【請求項８】
前記携帯端末は、
電波が届いていない状態を表示する手段と、
電波の届いている状態時に前記サーバよりダウンロードして携帯端末内部に保存した確認項目と確認ポイント用サンプル画像を元に電波の届いていない状態においても確認操作や写真撮影操作を端末内部に保存して操作を継続する手段と、
再度電波の届いている状態になった時に携帯端末内部に保存した前記サーバに送信していないデータが存在することを表示する手段と、
前記サーバに同期されていない携帯端末内部に保存した内容を確認表示する手段と、
携帯端末内部に保存した内容を前記サーバに自動的に同期してアップロードする手段と、
を備えていることを特徴とする請求項１〜７の何れか１項に記載の遠隔品質管理システム。
【請求項９】
チェックシート毎に確認項目毎の合否や指摘回数を指定期間内の統計情報として累計して一覧出力する手段と、
チェックシートに関わった関係者毎に確認項目の合否件数や指摘回数を表示する手段と、
を備えていることを特徴とする請求項５〜７の何れか１項に記載の遠隔品質管理システム。
【発明の詳細な説明】
【技術分野】
【０００１】
本発明は、作業場所が広範囲に及ぶ業種、例えば住宅建設業や保守保全業における作業内容の指示や作業後の確認行為を、作業に関わる人々の役割に応じた各種チェックシートを用いて、インターネットに接続された多機能型携帯電話（スマートフォン）やタブレット型多機能端末、カメラ機能付き携帯電話やパーソナルコンピュータによりリアルタイムに登録・確認が行え、関係者全員が情報共有出来る遠隔品質管理システムに関する。
【背景技術】
【０００２】
広範囲に作業場所が点在する業種、例えば住宅建築現場などにおいて統一された一定の品質を確保するために各種チェックシート用いて確認作業が行われている。
【０００３】
各種チェックシートには、作業者本人が作業の完了を報告する自主チェックシート（施工チェックシート）や、管理者（監督者）が確認を行う管理シート、有資格者が確認する検査（監理）シートなどが存在し、それぞれの役割や立場によって起票される。
【０００４】
チェックシートは紙ベースで行われていて各作業場所で所定の用紙に記入し、報告書等が必要な場合はデジタルカメラなどで撮影した作業根拠写真と共にワープロソフトを用いて作成していた。
【０００５】
役割や立場に応じた各種チェックシートの運用は、作業員への作業指示が明確に成らず、チェックを省く場合や作業終了後にまとめて起票する場合など統一性に欠け信憑性が疑われていた。特に下請け業者への指示や作業者本人（職方（職人））への指示など作業指示が煩雑となり運用されていないケースが多く見られた。
【０００６】
作業場所での記入作業の軽減や検査項目の確認には「携帯端末を使用した品質管理システム」がある（例えば、特許文献１参照）。このシステムによれば、施工現場において施工管理者と現場監督とがそれぞれにお互いの品質管理に関する検査の結果を携帯端末により入力できるとともに、お互いの検査結果を携帯端末により確認できる。
【０００７】
施工報告書の自動作成と現場からの施工画像登録の手法としては「住宅の施工管理システム」がある（例えば、特許文献２参照）。このシステムによれば、施工画像を携帯電話のメールに添付して管理サーバへ転送し、施工報告書の作成をすることができる。
【先行技術文献】
【特許文献】
【０００８】
【特許文献１】特開２００７−８７０６７号公報
【特許文献２】特開２０１０−１４０１０３号公報
【発明の概要】
【発明が解決しようとする課題】
【０００９】
特許文献１では施工管理者と現場監督の限定された立場での施工現場に特化されたシステムであり、作業に関わるそれぞれの役割、住宅建築現場を例に挙げると工事の総責任者である「責任者」、組織を取りまとめる「課長」、法的資格を所有し監理する「工事監理者」、現場を管理する「現場管理者」、下請け企業として取り纏めを行う「工事主任（作業責任者）」、実際に作業にあたる作業者「職方（職人）」等に応じてのチェックシートを実施する運用に当てはまらない。
【００１０】
また、チェックにより行われた指摘項目や回数を、作業者別・作業会社別に統計情報として出力し、品質向上に向けての防止策として教育実施へと繋げる方法に欠けている。
【００１１】
特許文献２では一般的に使われている携帯電話のメール添付機能を使った現場からの施工画像の登録を行う手段であって、品質管理を行う上での仕組みを示すものではなく、運用としての実用性に欠けている。
【００１２】
本発明は、上記課題に鑑みてなされたものであり、作業に関わるそれぞれの立場に応じて総合的に品質確保を実現する遠隔品質管理システムを提供することを目的とする。
【課題を解決するための手段】
【００１３】
上記目的を達成するために、請求項１記載の遠隔品質管理システムは、インターネットを通してサービスを提供する管理サーバと、管理サーバにブラウザを通して接続されるパーソナルコンピュータと、ダウンロードされ動作する専用ソフトウェアにより管理サーバに接続される携帯端末と、管理サーバへのメール送受信を行う携帯電話を使用した遠隔品質管理システムであって、
前記管理サーバは、組織毎の物件を管理・保存する手段と、利用者を組織単位に管理して組織毎の利用者として参照する作業物件を制御する手段と、利用者として「メールアドレスのみの利用者」と「アカウントとパスワードを発行する利用者」を管理・保存する手段と、利用者毎に「写真のみを登録する利用者」と「チェックシートを起票する利用者」と「チェックシートを確認する利用者」と「チェックシートを承認する利用者」とする権限を保存する手段と、チェックシートの確認項目として測定値や可否判定結果などを組み合わせて定義・保存する手段と、前記「写真のみを登録する利用者」が前記携帯端末又は前記携帯電話を使って管理サーバに登録した作業根拠写真を当該利用者の上位の利用者（以下「第１の上位利用者」という。）が起票するチェックシート（以下「自主チェックシート」という。）のマスタデータに組み込む手段と、前記第１の上位利用者がログインしたパーソナルコンピュータ又は携帯端末において前記作業根拠写真が組み込まれた自主チェックシートのマスタデータを表示させる手段と、前記第１の上位利用者が前記マスタデータを使って起票した自主チェックシートが管理サーバにアップロードされると、前記第１の上位利用者の更に上位の利用者（以下「第２の上位利用者」という。）がログインするパーソナルコンピュータ又は携帯端末において当該自主チェックシートの承認又は確認を求める表示を行わせる手段と、前記第２の上位利用者により、前記自主チェックシートに対する上位のチェックシートが起票され管理サーバにアップロードされると、前記第２の上位利用者の更に上位の利用者（以下「第３の上位利用者」という。）がログインするパーソナルコンピュータ又は携帯端末において当該チェックシートの承認又は確認を求める表示を行わせる手段と、を備えていることを特徴としている。
【００１４】
請求項２記載の遠隔品質管理システムは、請求項１に記載の遠隔品質管理システムにおいて、前記管理サーバにブラウザを通して接続されるパーソナルコンピュータにおいて、画像登録が必要なチェックシートの確認項目に対して携帯電話のメール添付機能を利用して写真撮影の作業を指示する作業指示書であって、作業物件毎の送信先アドレスと、チェックシートの種類及び確認項目を示すメールタイトルと、操作方法を示す本文とをメール起動用のマトリックス型二次元コードの中に編集し一覧化したものを作業物件毎のチェックシート毎に出力する手段を備え、前記「写真のみを登録する利用者」が前記携帯端末又は前記携帯電話を使って管理サーバに対して行う作業根拠写真の登録は、前記メール起動用のマトリックス型二次元コードを読み込むことにより起動するメールに自動設定される送信先アドレスに対して、作業根拠写真を添付したメールが送信されることによりなされる、ことを特徴としている。
また、請求項３記載の遠隔品質管理システムは、請求項１に記載の遠隔品質管理システムにおいて、画像登録が必要なチェックシートの確認項目に対して携帯電話のメール添付機能を利用して写真撮影の作業を指示する作業指示書にチェックシート毎の画像登録状況を確認メールとして受信する為のメール送信用のマトリックス型二次元コードを印刷する手段と、前記確認メールを受信した携帯端末又は携帯電話において、前記確認メール内の未登録の項目を選択することにより、作業物件毎の送信先アドレスと、チェックシートの種類及び確認項目を示すメールタイトルと、操作方法を示す本文とを表示する画像登録用メールを起動させる手段と、を備え、前記「写真のみを登録する利用者」が前記携帯端末又は前記携帯電話を使って管理サーバに対して行う作業根拠写真の登録は、前記確認メール内の未登録の項目を選択することにより起動するメールに自動設定される送信先アドレスに対して、作業根拠写真を添付したメールが送信されることによりなされる、ことを特徴としている。
【００１５】
請求項４記載の遠隔品質管理システムは、請求項１〜３の何れか１項に記載の遠隔品質管理システムにおいて、前記管理サーバが、前記第２の上位利用者がログインしたパーソナルコンピュータ又は携帯端末において、自主チェックシートの承認を求める表示を行わせた後、自主チェックシートの承認のための操作がなされた場合に、当該自主チェックシートの起票者がログインしたパーソナルコンピュータ又は携帯端末において前記第２の上位利用者による承認行為が行われた旨を表示させる手段を備えていることを特徴としている。
また、請求項５記載の遠隔品質管理システムは、請求項４に記載の遠隔品質管理システムにおいて、前記管理サーバが、前記第２の上位利用者がログインしたパーソナルコンピュータ又は携帯端末において自主チェックシートのチェック項目の不備を指摘するための操作がなされた場合に、当該自主チェックシートの作成に携わった関係者全員の端末に、チェック項目の不備が指摘された旨を内容とするメールを送信する手段を備えていることを特徴としている。
また、請求項６記載の遠隔品質管理システムは、請求項５に記載の遠隔品質管理システムにおいて、前記管理サーバが、前記第２の上位利用者がログインしたパーソナルコンピュータ又は携帯端末において前記チェック項目の不備の指摘に対する確認依頼が来ていることを表示により知らせる手段と、その確認依頼に係る内容を当該パーソナルコンピュータ又は当該携帯端末において一覧形式又は、指摘前・指摘後を参照できる詳細形式にて表示させる手段と、を備えていることを特徴としている。
また、請求項７記載の遠隔品質管理システムは、請求項６に記載の遠隔品質管理システムにおいて、前記管理サーバが、前記第２の上位利用者がログインしたパーソナルコンピュータ又は携帯端末において前記確認依頼に係る内容の確認終了の旨の操作がなされた場合に、前記関係者全員の端末に、前記確認依頼に係る内容の確認完了の旨を内容とするメールを送信する手段を備えていることを特徴としている。
【００１６】
請求項８記載の遠隔品質管理システムは、請求項１〜７の何れか１項に記載の遠隔品質管理システムにおいて、前記携帯端末は、電波が届いていない状態を表示する手段と、電波の届いている状態時に前記サーバよりダウンロードして携帯端末内部に保存した確認項目と確認ポイント用サンプル画像を元に電波の届いていない状態においても確認操作や写真撮影操作を端末内部に保存して操作を継続する手段と、再度電波の届いている状態になった時に携帯端末内部に保存した前記サーバに送信していないデータが存在することを表示する手段と、前記サーバに同期されていない携帯端末内部に保存した内容を確認表示する手段と、携帯端末内部に保存した内容を前記サーバに自動的に同期してアップロードする手段と、を備えている。
【００１７】
請求項９記載の遠隔品質管理システムは、請求項５〜７の何れか１項に記載の遠隔品質管理システムにおいて、チェックシート毎に確認項目毎の合否や指摘回数を指定期間内の統計情報として累計して一覧出力する手段と、チェックシートに関わった関係者毎（根拠写真を登録した利用者と所属業者、確認・承認を行った利用者）に確認項目の合否件数や指摘回数を表示する手段と、を備えている。
【発明の効果】
【００１８】
本発明の請求項１の遠隔品質管理システムによれば、利用者の権限に合わせてそれぞれの人が作業項目の確認状況をリアルタイムに確認できる。
【００１９】
請求項２の遠隔品質管理システムによれば、アカウントとパスワードを持たない利用者にも手軽に作業根拠写真を登録することが出来る。
【００２０】
請求項３の遠隔品質管理システムによれば、アカウントとパスワードを持たない利用者にも手軽に作業根拠写真を登録することが出来る。
【００２１】
請求項８の遠隔品質管理システムによれば、作業場所を選ばず携帯端末にて確認作業を行うことが出来る。
【００２２】
請求項９の遠隔品質管理システムによれば、品質レベルの低い職種や該当の作業関係者を特定することが可能となり今後の防止策として教育の実施などへ繋げることが出来る。
【図面の簡単な説明】
【００２３】
【図１】本発明の実施の形態に係る遠隔品質管理システムの構成例を示す図である。
【図２】本発明の実施の形態に係る遠隔品質管理システムの機構部を示す図である。
【図３】ブラウザを通して表示された利用者一覧画面を示す図である。
【図４】ブラウザを通して表示された業者・登録／修正画面を示す図である。
【図５】ブラウザを通して表示された利用者権限設定画面を示す図である。
【図６】ブラウザを通して表示された作業物件詳細画面を示す図である。
【図７】ブラウザを通して表示されたチェックシート選択画面を示す図である。
【図８】ブラウザを通して表示された作成シート業者割り当て画面を示す図である。
【図９】ブラウザを通して表示されたシート一覧画面を示す図である。
【図１０】作業指示書例を示す図である。
【図１１】チェックシート別写真登録状況確認メール例を示す図である。
【図１２】作業指示書（または登録状況確認メール）からの写真登録用メール画面例を示す図である。
【図１３】携帯端末（携帯電話）で表示された専用アプリによる「メールアドレスのみの利用者」ログイン画面を示す図である。
【図１４】携帯端末（携帯電話）で表示された専用アプリによる「メールアドレスのみの利用者」写真登録画面を示す図である。
【図１５】携帯端末（携帯電話）で表示された専用アプリによるトップメニュー画面を示す図である。
【図１６】携帯端末（携帯電話）で表示された専用アプリによる担当物件一覧画面を示す図である。
【図１７】携帯端末（携帯電話）で表示された専用アプリによるメインメニュー画面を示す図である。
【図１８】携帯端末（携帯電話）で表示された専用アプリによるシートカテゴリ一覧を示す図である。
【図１９】携帯端末（携帯電話）で表示された専用アプリによるシート一覧を示す図である。
【図２０】携帯端末（携帯電話）で表示された専用アプリによるシートチェック入力画面を示す図である。
【図２１】携帯端末（携帯電話）で表示された専用アプリによるチェック入力パターンを示す図である。
【図２２】携帯端末（携帯電話）で表示された専用アプリによるチェック入力パターンを示す図である。
【図２３】携帯端末（携帯電話）で表示された専用アプリによるチェック入力パターンを示す図である。
【図２４】携帯端末（携帯電話）で表示された専用アプリによるシートチェック入力画面（写真撮影後）を示す図である。
【図２５】携帯端末（携帯電話）で表示された専用アプリによる自主（施工）チェックシートの申請画面を示す図である。
【図２６】携帯端末（携帯電話）で表示された専用アプリによる担当物件一覧を示す図である。
【図２７】携帯端末（携帯電話）で表示された専用アプリによるメインメニュー画面を示す図である。
【図２８】携帯端末（携帯電話）で表示された専用アプリによるシートカテゴリ一覧画面を示す図である。
【図２９】携帯端末（携帯電話）で表示された専用アプリによるシート一覧画面を示す図である。
【図３０】携帯端末（携帯電話）で表示された専用アプリによる自主（施工）チェックシートの承認画面を示す図である。
【図３１】携帯端末（携帯電話）で表示された専用アプリによる現場管理チェックシート画面を示す図である。
【図３２】携帯端末（携帯電話）で表示された専用アプリによる指摘コメント記入画面を示す図である。
【図３３】携帯端末（携帯電話）で表示された専用アプリによるメインメニュー画面（指摘有り状態）を示す図である。
【図３４】携帯端末（携帯電話）で表示された専用アプリによる指示書一覧画面を示す図である。
【図３５】携帯端末（携帯電話）で表示された専用アプリによる指示項目一覧画面を示す図である。
【図３６】携帯端末（携帯電話）で表示された専用アプリによる指摘完了写真登録画面を示す図である。
【図３７】携帯端末（携帯電話）で表示された専用アプリによる施工指示書を示す図である。
【図３８】携帯端末（携帯電話）で表示された専用アプリによるシート一覧画面（現場管理者、管理シートワークフロー記入）を示す図である。
【図３９】携帯端末（携帯電話）で表示された専用アプリによる現場管理シートの確認画面を示す図である。
【図４０】携帯端末（携帯電話）で表示された専用アプリによるシート一覧画面（責任者、管理シートワークフロー承認）を示す図である。
【図４１】携帯端末（携帯電話）で表示された専用アプリによる現場管理シートの承認画面を示す図である。
【図４２】携帯端末（携帯電話）で表示された専用アプリによるシート一覧画面（ワークフロー完了）を示す図である。
【図４３】携帯端末（携帯電話）で表示された専用アプリによる現場管理シートを示す図である。
【発明を実施するための形態】
【００２４】
以下、本発明の実施の形態に係る遠隔品質管理システムについて図面に基づいて説明する。
図１は、本発明の実施の形態に係る遠隔品質管理システム１の概略構成を示すものである。本遠隔品質管理システム１は、図示するように、インターネット等１５のＬＡＮ（Ｌｏｃａｌ  Ａｒｅａ  Ｎｅｔｗｏｒｋ）を通してサービスを提供する管理サーバ２と、管理サーバ２にブラウザを通して接続されるパーソナルコンピュータ５と、携帯端末４にダウンロードされ動作する専用ソフトウェアにより管理サーバ２に接続される携帯端末４と、管理サーバ２へのメール送受信を行う携帯電話３を使用して運用される。
【００２５】
管理サーバ２は図２に示すように利用者を管理する利用者管理機構部と、作業物件及びチェックシート項目を管理する作業項目管理機構部、携帯端末への情報連携を行う携帯端末連携機構部、メール受信送信を行うメール送受信管理機構部、また既存システムとの連携により作業物件情報の取得やチェックシートの確認結果の登録を行う外部連携機構部で構成されている。
携帯端末は管理サーバとの同期を行う管理サーバ機構部と、作業物件及びチェックシート項目を管理する作業項目管理機構部で構成されている。
【００２６】
管理サーバ内の利用者管理機構部は、２種類の利用者を管理する。ＩＤ／パスワードを発行して携帯端末４及びパーソナルコンピュータ５を使いブラウザを通して接続可能な利用者と、メールアドレスのみの登録でメールによる根拠写真の登録やチェックシートの根拠写真登録状況を確認することのみが操作可能な利用者である。図３で示すように利用者は一覧で管理され、パスワード認証を所定の回数以上間違えるなどして本システムを利用停止にすることも出来る。利用者に付随する情報として図４に示すように下請け業者に関する情報（業者名、住所等）を登録することで、作業項目管理機構部で管理される参照・登録可能な物件への選択範囲として業者を使用する。利用者は図５に示すように役割や立場に応じた利用権限を登録することによりチェックシートの申請・確認・承認などのワークフロー対象者となる。また工事主任（作業責任者）権限を持つ利用者には自主チェックシートが起票可能になるなど権限に合わせた起票可能なチェックシートが定められる。
【００２７】
管理サーバ内の作業項目管理機構部は、チェックシートが適用される作業物件と、作成されるチェックシートの項目と項目に関する確認結果と確認に伴う各種計測値入力する項目を定義する。図６に示すように作業場所を管轄する利用者（現場管理者権限を有する利用者）はチェックを行う作業物件情報（氏名、氏名カナ、住所、電話番号、携帯番号、建設地（作業場所）、建設地を示すマップコード、など）を登録する。
【００２８】
また図７で示すような作業物件毎にチェック対象となるチェックシートを予め登録されているチェックシート一覧の中から選択し、図８で示すように下請け業者がチェックする自主チェックシートに関して前記利用者管理機構部で登録した業者単位に作成可能な業者を割り当てる。これにより下請け業者に属する利用者が携帯端末４や管理サーバ２にログインした際に登録可能となる作業物件が一覧となって現れる。
これら機能は管理サーバ２にブラウザを通して接続されるパーソナルコンピュータ５を通して操作することが出来る。
【００２９】
管理サーバ内のメール送受信管理機構部は、作業物件毎に専用のメールアドレスの割り当てを行う。カメラ機能付き携帯電話を使用してのメール操作を基本とするチェックシート毎のＱＲコード（登録商標）が印刷される作業指示書は、図９に示すように作業物件のシート一覧から「ＱＲ印刷」ボタン１７をクリックすることにより図１０で示すように「作業指示書」がＰＤＦ形式でダウンロードされる。前記作業指示書のＱＲ読み込みを利用して職方（職人）などの「メールアドレスのみの利用者」からメール添付で送られてくる作業根拠写真に対して、送信者が送信対象物件を管轄する組織に登録されている利用者か確認を行う。また送信されてくるメールタイトルに含まれる項目を示す番号形式が所定の形式（チェックシートの種類と確認項目を番号）と一致しているか確認を行う。メールを正常に受け付けた場合は受付完了メールを返信する。上記確認にて何らかの不備が確認された場合は受付不良メールを送信する。画像登録状況を確認メールとして受信する為のメール送信用ＱＲコード（登録商標）１８の読み込みにより送信されるメールに対しても前記同様の確認処理を行う。
またメール送受信管理機構部は、チェックシート記入時に関連した作業根拠写真送信者を関係作業者として記憶し、ワークフロー上位者による指摘（修正指示）に対して指摘が出された旨を前記関係作業者に一斉にメール連絡を行う。
【００３０】
管理サーバ内の携帯端末連携機構部は、携帯端末との間で操作が発生する全てのデータ送受信を行う。全てはＡＰＩ（Ａｐｐｌｉｃａｔｉｏｎ  Ｐｒｏｇｒａｍ  Ｉｎｔｅｒｆａｃｅ）として準備され以下のような処理を提供する、利用者のログイン認証を行う認証処理、チェックシート毎の作業確認項目を定義したマスタデータダウンロード処理、チェックシートの確認作業により携帯端末内部に保持されたデータと管理サーバとの間でデータ同期を行う同期データダウンロード処理、管理サーバに登録されているファイルを変更履歴のあるもののみダウンロードするファイルダウンロード処理、携帯端末からの指摘を行う指摘通知処理などが存在する。
【００３１】
管理サーバ内の外部連携機構部は、本システムの作業物件を外部他システムより連携して登録する場合に機能する。連携用アドレスへのメール添付送信による連携方式や、ＦＴＰによるファイル転送連携方式がある。また作成されたチェックシートや情報共有された図面などの共有データを前記同様の方式で外部へ出力することが出来る。
【００３２】
携帯端末内の管理サーバ連携機構部は、画面操作によるサーバ連携機能の全てのデータ送受信処理を行う。全てはＡＰＩ（Ａｐｐｌｉｃａｔｉｏｎ  Ｐｒｏｇｒａｍ  Ｉｎｔｅｒｆａｃｅ）として準備され以下のような処理を提供する、利用者のログイン認証を行う認証処理、チェックシート毎の作業確認項目を定義したマスタデータダウンロード処理、チェックシートの確認作業により携帯端末内部に保持されたデータと管理サーバとの間でデータ同期を行う同期データダウンロード処理、管理サーバに登録されているファイルを変更履歴のあるもののみダウンロードするファイルダウンロード処理、携帯端末からの指摘を行う指摘通知処理などが存在する。
また、電波が届いていない状態（オフライン状態）時に作業した内容に対して、再度電波の届いている状態（オンライン状態）になった時に自動的にサーバ同期可能の旨をメッセージ表示し、同期内容を確認した後に同期する。
【００３３】
携帯端末内の作業項目管理機構部は、利用者が担当するチェックシートが適用される作業物件と、作成されるチェックシートの項目と項目に関する確認結果と確認に伴う各種計測値入力項目をマスタデータとしてダウンロードし管理する。またシート毎の登録状況や申請・確認・承認などのワークフローの状態を保持し管理サーバと同期しながら画面上にステータスアイコン（「利用者の操作待ち状態の物を赤色」で「他の利用者による操作待ち状態の物を黄色」で「全てのワークフローが終了している状態を青色」）を表示する。
【００３４】
次に携帯端末４を使用してのチェックシート起票から承認までのワークフロー１６（運用の流れ）を図１に示す自主チェックシート１２及び現場管理チェックシート１３で説明する。
◆事前設定
管理サーバ内の作業項目管理機構部により、作成するチェックシートの項目と項目に関する確認結果と確認に伴う各種計測値入力項目を定義する。チェックシートは役割により起票権限を設定する（自主チェックシート＝工事主任（作業責任者）、現場管理シート＝現場管理者）。またチェックシートには図１に示すワークフロー１６のように立場に応じて確認や承認を行うワークフローを設定する。
自主チェックシートのように下請け業者など工事主任（作業責任者）権限での起票を行う帳票に関しては図８に示す、自主チェックシート毎の作成業者を設定することによりログイン時に作業担当物件が登録可能となる。
【００３５】
◆作業根拠写真の登録（図１の１１）
職方（職人）などの作業者は、作業場所に配置された図１０に示すような作業指示書をカメラ機能付き携帯電話でＱＲコード（登録商標）１８を読み込ませてそのままの形式でメール送信することにより、図１１に示すように現在の作業チェックシートでの画像登録状況をメールで確認する。メール内部の「画像追加」アンカー１９を選択することにより図１２で示すようにメール作成画面を起動し、添付欄にカメラ起動ボタン２０を選択することにより作業根拠写真を添付してメール送信する。登録が受け付けられた場合は登録完了メールが返送される。
職方（職人）等の作業員がスマートフォン等の携帯端末を利用している場合、専用アプリをダウンロードして起動して図１３で示すように「指示書専用認証」画面にて作業指示書記載の番号とメールアドレスで認証を行う。図１４に示すように指示書専用機能（職方（職人）用）は画像登録のみに限定される。
【００３６】
◆作業根拠写真の確認と自主チェックシートの起票・申請（図１の１２）
工事主任（作業責任者）はスマートフォン等の携帯端末にダウンロードして起動する専用アプリにログインして現在利用者が関係しているワークフローに関するお知らせを確認する。「担当者一覧」ボタン２１をタップすることにより現在自分の担当している（参照が許されている）作業物件の一覧を確認する。「作業場所」ボタン２２をタップすることにより図１７で示すように作業場所毎のメインメニューが表示される。「シート一覧」ボタン２３をタップすることにより図１８に示すようにカテゴリ一覧が表示される。カテゴリを選択するとカテゴリ別に作成が必要なチェックシート一覧が起票権限別に色分けされて一覧表示される。起票途中の物は赤色アイコン表示で表示されるため、「該当チェックシート」ボタン２４を選択して図２０に示すようにチェックシート項目を表示する。チェックシートの入力パターンは組み合わせにより事前定義される（入力パターン例：図２１〜２３）。図２４に示すように職方（職人）による作業根拠写真の登録状況を確認する。また「サムネイル画像」ボタン２５をタップすることにより拡大表示した画像を表示する。
工事主任（作業責任者）は登録されている作業根拠写真の確認と共にチェックシートに関する確認項目を作業現場と照らし合わせて記入する。全ての項目が記入されると図２５に示すように「申請」ボタン２６が表示されワークフローに沿って上位者に対しての申請が行えるようになる。
【００３７】
◆自主チェックシートの承認（図１の１２）
現場管理者には、自分宛に申請された作業物件に対して図２６で示すように赤色アイコンでワークフローの作業を把握する。該当作業物件をタップしメインメニューを表示した場合にも図２７〜２９に示すようにワークフローで作業が求められている項目に対してアイコン表示が行われる。利用者はこの警告に従い作業を進める。現場管理者は図３０で示すように該当のチェックシートの内容を確認して「承認」ボタン２７にて承認を行う。上位者による承認行為が行われた旨が申請者のお知らせとしてトップメニュー画面（図１５）に表示される。
【００３８】
◆現場管理チェックシートの起票・指摘・申請（図１の１３）
現場管理者は任意のタイミングで現場責任者としての現場管理チェックシートの記入を行う（通常時、自主チェックシートの承認をもって行う）。図２９に示すように「現場管理チェックシート」ボタン２８をタップすることによりチェック項目を表示し、作業現場を確認しながらチェック項目を記入する。チェック項目を確認中に不備を発見した場合は、図３１〜３２で示すように指摘箇所に対して根拠写真を添えて通知することが出来る。指摘が行われると自主チェックシート作成に携わった関係者全員に指摘が発行された旨のメール通知が行われる。
現場管理者は、指摘に対する確認依頼が職方（職人）、工事主任（作業責任者）から来ていることを図３３〜３４で示すようにワークフローの状態表示によって把握し、その内容を図３５で示すように一覧形式や図３６で示すように指摘前、指摘後を参照できる詳細形式で確認して、確認終了の旨を表す「指摘完了確認」ボタン２９を選択する。指摘に携わった関係者全員に確認完了のメール通知が行われる。また、各作業者は指示書一覧ボタン３０を長押しタップすることにより、図３７で示すように指示書状況が帳票形式でリアルタイムに参照できる。
指摘完了をもって現場管理チェックシート全てを記入しワークフローに沿って上位者に対しての申請を行う。
【００３９】
◆現場管理チェックシートの確認（図１の１３）
工事監理者（有資格者）は、現場管理者（現場責任者）からの申請をもって、図３８に示すようにワークフロー状態の指示（作業待ち赤色アイコン表示）に従いチェックシートを選択し、図３９に示すように「確認」ボタン３１をタップして確認を行う。
◆現場管理チェックシートの承認（図１の１３）
責任者は、工事監理者（有資格者）からの確認をもって、図４０に示すようにワークフロー状態の指示（作業待ち赤色アイコン表示）に従いチェックシートを選択し、図４１に示すように「承認」ボタン３２をタップして承認を行う。また、承認行為（ワークフローの終了）まで行われたチェックシートに関しては、図４２で示すようにワークフローの終了を表す青色アイコンで状態が表示される。
【００４０】
◆各チェックシートの参照
各作業者は「シート一覧」ボタン３３を長押しタップすることにより、図４３で示すように作成状況が帳票形式でリアルタイムに参照できる。この際ワークフロー上確認、又は承認を行った旨が帳票へ自動押印されて表示される。
【００４１】
なお、本発明は現場施工を伴う上記住宅建築業に限定されるものではなく、本発明の特徴であるチェックシートレイアウトの変更やワークフローの変更、確認内容の変更や計測値項目の変更を用いて、広範囲に作業を行う様々な業種のサービスとして利用可能である。
【００４２】
遠隔品質管理システムの態様例を以下に記載する。
【００４３】
インターネットを通してサービスを提供する管理サーバと、管理サーバにブラウザを通して接続されるパーソナルコンピュータと、携帯端末にダウンロードされ動作する専用ソフトウェアにより管理サーバに接続される携帯端末と、管理サーバへのメール送受信を行う携帯電話を使用した遠隔品質管理システムであって、前記サーバは組織毎の物件を管理・保存する手段と、利用者を組織単位に管理して組織毎の利用者として参照する作業物件を制御する手段と、利用者として「メールアドレスのみの利用者」と「アカウントとパスワードを発行する利用者」を管理・保存する手段と、利用者毎に「写真のみを登録する利用者」と「チェックシートを起票する利用者」と「チェックシートを確認する利用者」と「チェックシートを承認する利用者」とする権限を保存する手段と、目的別にチェックシートを階層化して保存する手段と、チェックシートの確認項目として測定値や可否判定結果などを組み合わせて定義・保存する手段と、定義されたチェック項目と共に確認ポイントとなるサンプル画像を保存する手段と、を備え、
前記サーバはブラウザを通して接続するパーソナルコンピュータに対して管理する組織を表示・登録する手段と、組織毎の物件を表示・登録する手段と、利用者としてメールアドレスのみの利用者とアカウントとパスワードを発行する利用者を表示・登録する手段と、下請け業者毎に起票可能な作業物件を設定する手段と、利用者の権限別に起票できるチェックシートを設定する手段と、ログインした利用者に設定されている起票可能な作業物件を表示する手段と、目的別にチェックシートを階層化して表示する手段と、起票可能なチェックシート毎の確認項目を表示する手段と、確認結果を測定値や判定結果と共に根拠写真データを登録する手段と、を備え、
携帯端末はログインＩＤとパスワードによる認証手段と、インターネットを介して前期サーバより確認項目と確認ポイント用サンプル画像とチェックシートの確認結果と確認根拠写真を携帯端末内部の保存データとサーバーデータとの履歴を確認して更新分（差分）のみをダウンロードする手段と、ログインした利用者に設定されている起票可能な作業物件を表示する手段と、目的別にチェックシートを階層化して表示する手段と、起票可能なチェックシート毎の確認項目を表示する手段と、確認結果を測定値や判定結果と共に根拠写真データを携帯端末内部へ保存する手段と、根拠写真をデータ伝送軽減の為画像サイズを縮小変換する手段と、インターネットを介して確認結果を測定値や判定結果と共に根拠写真データを前期サーバにアップロードする手段と、を備えていることを特徴とする遠隔品質管理システム。
【００４４】
既述の遠隔品質管理システムにおいて、
チェックシートの確認項目として画像登録が必要な確認項目に対して携帯電話のメール添付機能を利用して写真撮影の作業を指示する作業指示書をメール起動用ＱＲコード（登録商標）形式の中に作業物件毎の送信先アドレスとチェックシートの種類と確認項目を番号で示すメールタイトルと操作方法を示す本文を編集して一覧化し作業物件毎のチェックシート毎に出力する手段と、メール受付時に受信用メールアドレスにて作業物件を振り分ける手段と、メール受信時にタイトルにより作業場所毎のチェック項目へリンクする手段と、管理サーバへ送られてきた画像が規定のサイズ以上や既定のサイズ未満の場合に受付を拒否するメールを返信する手段と、送られてきた画像を既定のサイズに変換する手段と、既に送られてきている画像との間でチェックサムを用いた重複確認を行う手段と、画像に添付されている位置情報を保存する手段と、メール本文中の記号で挟まれた内側に記載されたコメント文を抽出して保存する手段と、正常に登録されたことを案内するメールの返信手段と、前記確認処理により受付が行われなかったこと案内するメール返信手段とを備え、
「写真のみ登録する利用者」がスマートフォン等の携帯端末を利用している場合を想定して携帯端末にダウンロードされ動作する専用ソフトウェアには前記作業指示書に記載されている作業物件を管理する番号とメールアドレスのみで認証を行いシート毎に登録が必要な画像を撮影・登録する手段と、を備え、
前記作業指示書にチェックシート毎の画像登録状況を確認メールとして受信する為のメール送信用ＱＲコード（登録商標）を印刷する手段と、チェックシート毎に現時点で登録されている画像をＨＴＭＬ形式で一覧編集してメール返信する手段と、未登録の項目に対して前記確認メールの内容を選択することにより個々のＱＲコード（登録商標）により起動した場合と同様の作業物件毎の送信先アドレスとチェックシートの種類と確認項目を番号で示すメールタイトルと操作方法を示す本文を表示して画像登録用メールを起動する手段と、を備えていることを特徴とする遠隔品質管理システム。
【００４５】
既述の遠隔品質管理システムにおいて、
記入の終了したチェックシートの申請や確認・承認のワークフローをチェックシート毎に設定する手段と、ワークフローの状態を赤色・黄色・青色に分けて「利用者の操作待ち状態の物を赤色」で「他の利用者による操作待ち状態の物を黄色」で「全てのワークフローが終了している状態を青色」で表示する手段と、前記確認・承認行為毎にチェックシート上に印を自動的に押印する手段と、事前に登録している印影を前記確認・承認行為毎にチェックシート上に印刷する手段と、を備えていることを特徴とする遠隔品質管理システム。
【００４６】
既述の遠隔品質管理システムにおいて、
携帯端末の電波が届いていない状態（オフライン状態）を表示する手段と、電波の届いている状態（オンライン状態）時に前記サーバよりダウンロードして携帯端末内部に保存した確認項目と確認ポイント用サンプル画像を元に電波の届いていない状態（オフライン状態）においても確認操作や写真撮影操作を端末内部に保存して操作を継続する手段と、電源が無くなった時点までの操作状態を携帯端末内部に保存する手段と、再度電波の届いている状態（オンライン状態）になった時に携帯端末内部に保存した前記サーバに送信していないデータが存在することを表示する手段と、前記サーバに同期されていない携帯端末内部に保存した内容を確認表示する手段と、携帯端末内部に保存した内容を前記サーバに自動的に同期してアップロードする手段と、を備えていることを特徴とする遠隔品質管理システム。
【００４７】
既述の遠隔品質管理システムにおいて、
チェックシート毎に確認項目毎の合否や指摘回数を指定期間内の統計情報として累計して一覧出力する手段と、チェックシートに関わった関係者毎（根拠写真を登録した利用者と所属業者、確認・承認を行った利用者）に確認項目の合否件数や指摘回数を表示する手段と、を備えていることを特徴とする遠隔品質管理システム。
【符号の説明】
【００４８】
１    遠隔品質管理システム
２    管理サーバ
３    カメラ機能付き携帯電話
４    多機能型携帯電話、タブレット型多機能端末
５    パーソナルコンピュータ
６    職方（職人）
７    下請け業者、工事主任（作業責任者）
８    現場管理者（現場責任者）
９    工事監理者（有資格者）
１０    責任者
１１    作業根拠写真
１２    自主チェックシート（起票・申請）
１３    現場管理チェックシート（起票・申請）
１４    工事監理チェックシート（起票・申請）
１５    インターネット
１６    ワークフロー
【要約】
【課題】作業に関わる人々の役割に応じた作業指示やチェックシートによる確認作業を、インターネットに接続された多機能型携帯電話やタブレット型多機能端末、カメラ機能付き携帯電話やパーソナルコンピュータによりリアルタイムに登録・確認が行え、情報共有出来る遠隔品質管理システムを提供する。
【解決手段】遠隔品質管理システム１は、インターネットを通してサービスを提供する管理サーバ２と、管理サーバに接続されるパーソナルコンピュータ５と、携帯端末４で動作する専用ソフトウェアにより管理サーバ２に接続される携帯端末４と、管理サーバ２へのメール送受信を行う携帯電話３を使用した遠隔品質管理システムであって、作業に関わるそれぞれの役割６〜１０に応じて品質を確保する各種チェックシート１２〜１４の確認状況や作業根拠写真１１をリアルタイムに登録・収集し、関係者へのワークフローと共に情報共有するものとして機能する。
【選択図】図１【図１】
0005579946.tif 000002
【図２】
0005579946.tif 000003
【図３】
0005579946.tif 000004
【図４】
0005579946.tif 000005
【図５】
0005579946.tif 000006
【図６】
0005579946.tif 000007
【図７】
0005579946.tif 000008
【図８】
0005579946.tif 000009
【図９】
0005579946.tif 000010
【図１０】
0005579946.tif 000011
【図１１】
0005579946.tif 000012
【図１２】
0005579946.tif 000013
【図１３】
0005579946.tif 000014
【図１４】
0005579946.tif 000015
【図１５】
0005579946.tif 000016
【図１６】
0005579946.tif 000017
【図１７】
0005579946.tif 000018
【図１８】
0005579946.tif 000019
【図１９】
0005579946.tif 000020
【図２０】
0005579946.tif 000021
【図２１】
0005579946.tif 000022
【図２２】
0005579946.tif 000023
【図２３】
0005579946.tif 000024
【図２４】
0005579946.tif 000025
【図２５】
0005579946.tif 000026
【図２６】
0005579946.tif 000027
【図２７】
0005579946.tif 000028
【図２８】
0005579946.tif 000029
【図２９】
0005579946.tif 000030
【図３０】
0005579946.tif 000031
【図３１】
0005579946.tif 000032
【図３２】
0005579946.tif 000033
【図３３】
0005579946.tif 000034
【図３４】
0005579946.tif 000035
【図３５】
0005579946.tif 000036
【図３６】
0005579946.tif 000037
【図３７】
0005579946.tif 000038
【図３８】
0005579946.tif 000039
【図３９】
0005579946.tif 000040
【図４０】
0005579946.tif 000041
【図４１】
0005579946.tif 000042
【図４２】
0005579946.tif 000043
【図４３】
0005579946.tif 000044